(57)【要約】【課題】短時間で効率良く、低コストで吊り足場を施工することができる吊り足場の施工方法を提供する。【解決手段】  所定領域の初期足場１ＡをパイプＰに吊設する初期工程と、既設足場に順次接続しながら、拡張足場をパイプＰに吊設していく拡張工程とを備えている。拡張工程は、既設足場の副単管１２の直上に、仮設単管ＴＰ２を既設足場の外側に送り出し可能にパイプＰに吊設した後、既設足場の副単管１２に接続しようとする新たな副単管１２の先端部と仮設単管ＴＰ２の先端部とを連結部材ＣＨを介して連結し、仮設単管ＴＰ２と新たな副単管１２とを既設足場の外側に送り出して、新たな副単管１２を既設足場の副単管１２に接続した後、副単管１２の延長部分に足場板２０を掛け渡し、副単管１２の延長部分の下側に配置した新たな主単管１１をパイプＰに吊設すると共に副単管１２の延長部分に結束することで、吊り足場を拡張するようにした。【選択図】        図９
2013221324.tif 000002
【特許請求の範囲】
【請求項１】
所定間隔を開けて構造体に吊設される複数の主単管及び前記主単管に直交するように、前記主単管に結束される複数の副単管からなる足場枠と、
前記足場枠に掛け渡される複数の足場板と
を備えた吊り足場の施工方法であって、
所定領域の吊り足場を構造体に吊設する初期工程と、
既設の吊り足場に順次接続しながら、新たな吊り足場を構造体に吊設していく拡張工程とを備え、
前記拡張工程は、
既設の吊り足場を構成している前記副単管の直上に、その副単管と平行に、仮設単管を既設の吊り足場の外側に送り出し可能に構造体に吊設した後、
既設の吊り足場を構成しているそれぞれの副単管に接続しようとする新たな副単管の先端部と前記仮設単管の先端部とを連結部材を介して連結し、前記仮設単管と新たな副単管とを既設の吊り足場の外側に送り出して、新たな副単管を既設の吊り足場を構成している前記副単管に接続することによって、それぞれの副単管を延長した後、隣り合う副単管の延長部分に複数の足場板を掛け渡し、副単管の延長部分の下側に配置した新たな主単管を構造体に吊設すると共にそれぞれの副単管の延長部分に結束することで、吊り足場を拡張するようにしたことを特徴とする吊り足場の施工方法。
【請求項２】
前記拡張工程では、連結部材を介して前記仮設単管に連結した新たな副単管の先端側と既設の吊り足場上の固定部とを所定長の吊下部材を介して連結した状態で、新たな副単管を前記仮設単管と共に既設の吊り足場の外側に送り出すようにした請求項１に記載の吊り足場の施工方法。
【請求項３】
所定間隔を開けて構造体に吊設される複数の主単管及び前記主単管に直交するように、前記主単管に結束される複数の副単管からなる足場枠と、
前記足場枠に掛け渡される複数の足場板と
を備えた吊り足場の施工方法であって、
所定領域の吊り足場を構造体に吊設する初期工程と、
既設の吊り足場に順次接続しながら、新たな吊り足場を構造体に吊設していく拡張工程とを備え、
前記拡張工程は、
既設の吊り足場を構成している前記主単管の直上に、その主単管と平行に、仮設単管を既設の吊り足場の外側に送り出し可能に構造体に吊設した後、
既設の吊り足場を構成しているそれぞれの主単管に接続しようとする新たな主単管の先端部と前記仮設単管の先端部とを連結部材を介して連結し、前記仮設単管と新たな主単管とを既設の吊り足場の外側に送り出して、新たな主単管を既設の吊り足場を構成している前記主単管に接続することによって、それぞれの主単管を延長した後、主単管の延長部分に副単管を結束しながら、その副単管に足場板を掛け渡し、新たな主単管を構造体に吊設することで、吊り足場を拡張するようにしたことを特徴とする吊り足場の施工方法。
【請求項４】
前記拡張工程では、連結部材を介して前記仮設単管に連結した新たな主単管の先端側と既設の吊り足場上の固定部とを所定長の吊下部材を介して連結した状態で、新たな主単管を前記仮設単管と共に既設の吊り足場の外側に送り出すようにした請求項３に記載の吊り足場の施工方法。
【発明の詳細な説明】
【技術分野】
【０００１】
この発明は、工場等の建屋内の屋根の直下や、橋梁、高架橋等の直下に吊設される吊り足場の施工方法に関する。
【背景技術】
【０００２】
例えば、トラス構造の工場建屋の屋根の直下に吊り足場を施工する場合は、まず、図１１に示すように、高所作業車ＰＤを用いて足場材料を吊り足場の施工位置あたりまで持ち上げ、高所作業車ＰＤの荷台に乗った作業者がトラス構造の骨組みを構成している各パイプＰに主単管５１をそれぞれ吊設した後、これらの主単管５１に直交する方向に延びる副単管５２を、主単管５１の上側に一定間隔で配置して各主単管５１に結束すると共に、各主単管５１の吊設間隔が長い場合は、隣り合う主単管５１の中間位置で補助単管５３を副単管５２の下側に配設して各副単管５２に結束することによって足場枠を形成した後、この足場枠の副単管５２に足場板５４を掛け渡し、その上にコンクリート型枠用合板からなる仕上板５５を敷設することで、所定領域の吊り足場５０を建屋の屋根の直下に吊設する。
【０００３】
続いて、このようにして建屋の屋根の直下の所定領域に吊設された吊り足場５０の隣接領域に高所作業車ＰＤを移動させて、新たな主単管を吊設した後、既設の吊り足場５０の副単管５２に新たな副単管を接続しながら、上述した方法と同様の方法によって、新たな吊り足場を接続していくことになり、この作業を順次繰り返すことによって吊り足場５０を拡張していくことになる。
【０００４】
また、通常、川が流れているため、高所作業車を設置することができない橋梁等の直下に吊り足場を施工する場合は、図１２に示すように、荷台を橋梁上から橋梁Ｂの直下に移動させることができるブリッジチェッカーと呼ばれる特殊作業車ＢＣを橋梁の道路上に設置し、通行規制を行った状態で、上述した建屋内に吊り足場を設置する場合と同様の方法によって、橋梁Ｂに吊り足場５０を吊設していくことになる。
【先行技術文献】
【特許文献】
【０００５】
【特許文献１】特開２００５−９００６６号公報
【特許文献２】特開２００８−５０８１１号公報
【発明の概要】
【発明が解決しようとする課題】
【０００６】
上述したように、工場建屋の屋根の直下に吊り足場を吊設する場合は、建屋内で、高所作業車ＰＤを移動させながら、吊り足場を拡張していかなければならないが、工場内には、通常、機械や製造ライン等の障害物が設置されていたり、製品や資材等が積み上げられていたりするので、荷台を遠くまで移動させることができるレンタル料金の高い高所作業車を使用したり、高所作業車ＰＤを望む位置に移動させるために、積み上げられた製品や資材等を別の位置に移動させたりしなければならず、吊り足場の施工を短時間で効率よく、低コストで行うことができないという問題がある。
【０００７】
また、橋梁、高架橋等の直下に吊り足場を吊設する場合は、上述したように、レンタル料金の高いブリッジチェッカーと呼ばれる特殊作業車ＢＣを使用しなければならない場合があり、吊り足場の施工を低コストで行うことができないと共に、そういった特殊作業車ＢＣを使用した場合は、交通規制を行わなければならないといった問題もある。
【０００８】
そこで、この発明の課題は、短時間で効率良く、低コストで吊り足場を施工することができる吊り足場の施工方法を提供することにある。
【課題を解決するための手段】
【０００９】
上記の課題を解決するため、請求項１に係る発明は、所定間隔を開けて構造体に吊設される複数の主単管及び前記主単管に直交するように、前記主単管に結束される複数の副単管からなる足場枠と、前記足場枠に掛け渡される複数の足場板とを備えた吊り足場の施工方法であって、所定領域の吊り足場を構造体に吊設する初期工程と、既設の吊り足場に順次接続しながら、新たな吊り足場を構造体に吊設していく拡張工程とを備え、前記拡張工程は、既設の吊り足場を構成している前記副単管の直上に、その副単管と平行に、仮設単管を既設の吊り足場の外側に送り出し可能に構造体に吊設した後、既設の吊り足場を構成しているそれぞれの副単管に接続しようとする新たな副単管の先端部と前記仮設単管の先端部とを連結部材を介して連結し、前記仮設単管と新たな副単管とを既設の吊り足場の外側に送り出して、新たな副単管を既設の吊り足場を構成している前記副単管に接続することによって、それぞれの副単管を延長した後、隣り合う副単管の延長部分に複数の足場板を掛け渡し、副単管の延長部分の下側に配置した新たな主単管を構造体に吊設すると共にそれぞれの副単管の延長部分に結束することで、吊り足場を拡張するようにしたことを特徴とする吊り足場の施工方法を提供するものである。
【００１０】
また、請求項２に係る発明は、請求項１に係る発明の吊り足場の施工方法において、前記拡張工程では、連結部材を介して前記仮設単管に連結した新たな副単管の先端側と既設の吊り足場上の固定部とを所定長の吊下部材を介して連結した状態で、新たな副単管を前記仮設単管と共に既設の吊り足場の外側に送り出すようにしたことを特徴としている。
【００１１】
また、上記の課題を解決するため、請求項３に係る発明は、所定間隔を開けて構造体に吊設される複数の主単管及び前記主単管に直交するように、前記主単管に結束される複数の副単管からなる足場枠と、前記足場枠に掛け渡される複数の足場板とを備えた吊り足場の施工方法であって、所定領域の吊り足場を構造体に吊設する初期工程と、既設の吊り足場に順次接続しながら、新たな吊り足場を構造体に吊設していく拡張工程とを備え、前記拡張工程は、既設の吊り足場を構成している前記主単管の直上に、その主単管と平行に、仮設単管を既設の吊り足場の外側に送り出し可能に構造体に吊設した後、既設の吊り足場を構成しているそれぞれの主単管に接続しようとする新たな主単管の先端部と前記仮設単管の先端部とを連結部材を介して連結し、前記仮設単管と新たな主単管とを既設の吊り足場の外側に送り出して、新たな主単管を既設の吊り足場を構成している前記主単管に接続することによって、それぞれの主単管を延長した後、主単管の延長部分に副単管を結束しながら、その副単管に足場板を掛け渡し、新たな主単管を構造体に吊設することで、吊り足場を拡張するようにしたことを特徴とする吊り足場の施工方法を提供するものである。
【００１２】
また、請求項４に係る発明は、請求項３に係る発明の吊り足場の施工方法において、前記拡張工程では、連結部材を介して前記仮設単管に連結した新たな主単管の先端側と既設の吊り足場上の固定部とを所定長の吊下部材を介して連結した状態で、新たな主単管を前記仮設単管と共に既設の吊り足場の外側に送り出すようにしたことを特徴としている。
【発明の効果】
【００１３】
以上のように、請求項１に係る発明の吊り足場の施工方法では、初期工程において、高所作業車を使用して所定領域の吊り足場を構造体に吊設した後は、作業者がその吊り足場上で仮設単管を既設の吊り足場の外側に送り出し可能に構造体に吊設し、新たな副単管の先端部と仮設単管の先端部とを連結部材を介して連結した後、仮設単管と新たな副単管とを既設の吊り足場の外側に送り出すことで、送り出された副単管は、その先端部が、連結部材を介して、送り出された仮設単管の先端部から真下に吊り下げられることになるので、前下がりの状態に傾くことがなく、初期工程において設置された既設の吊り足場上の作業者は、送り出された副単管の後端部を既設の吊り足場を構成している副単管に容易に接続することができ、副単管の延長作業を円滑に行うことができる。
【００１４】
また、副単管の延長作業を行った後は、隣り合う副単管の延長部分に足場板を掛け渡すことで、作業者は新たに掛け渡した足場板の上に乗って、次々と、足場板の設置作業を行うことができると共に、副単管の延長部分の下側に配置した新たな主単管を構造体に吊設して、それぞれの副単管の延長部分に結束することができるので、高所作業車を使用することなく、吊り足場を拡張することができる。
【００１５】
特に、請求項２に係る発明の吊り足場の施工方法では、拡張工程において、連結部材を介して仮設単管に連結した新たな副単管の先端側と既設の吊り足場上の固定部とを所定長の吊下部材を介して連結した状態で、新たな副単管を前記仮設単管と共に既設の吊り足場の外側に送り出すようにしたので、送り出された副単管は、その先端部が、連結部材を介して、送り出された仮設単管の先端部から真下に吊り下げられるだけでなく、その先端側が、吊下部材を介して、既設の吊り足場上の固定部から斜めに吊り下げられることになるので、前下がりの状態に傾き易い長い副単管であっても、送り出された副単管の後端部を既設の吊り足場を構成している副単管に容易に接続することができる。
【００１６】
また、請求項３に係る発明の吊り足場の施工方法では、初期工程において、高所作業車を使用して所定領域の吊り足場を構造体に吊設した後は、作業者がその吊り足場上で仮設単管を既設の吊り足場の外側に送り出し可能に構造体に吊設し、新たな主単管の先端部と仮設単管の先端部とを連結部材を介して連結した後、仮設単管と新たな主単管とを既設の吊り足場の外側に送り出すことで、送り出された主単管は、その先端部が、連結部材を介して、送り出された仮設単管の先端部から真下に吊り下げられることになるので、前下がりの状態に傾くことがなく、初期工程において設置された既設の吊り足場上の作業者は、送り出された主単管の後端部を既設の吊り足場を構成している主単管に容易に接続することができ、主単管の延長作業を円滑に行うことができる。
【００１７】
また、主単管の延長作業を行った後は、隣り合う主単管の延長部分に副単管を結束しながら、その副単管に足場板を掛け渡すことで、作業者は新たに掛け渡した足場板の上に乗って、新たな副単管の結束作業、新たな足場板の設置作業及び新たな主単管の吊設作業を行うことができるので、請求項１に係る発明の吊り足場の施工方法と同様に、高所作業車を使用することなく、吊り足場を拡張することができる。
【００１８】
特に、請求項４に係る発明の吊り足場の施工方法では、拡張工程において、連結部材を介して仮設単管に連結した新たな主単管の先端側と既設の吊り足場上の固定部とを所定長の吊下部材を介して連結した状態で、新たな主単管を仮設単管と共に既設の吊り足場の外側に送り出すようにしたので、送り出された主単管は、その先端部が、連結部材を介して、送り出された仮設単管の先端部から真下に吊り下げられるだけでなく、その先端側が、吊下部材を介して、既設の吊り足場上の固定部から斜めに吊り下げられることになるので、前下がりの状態に傾き易い長い主単管であっても、送り出された主単管の後端部を既設の吊り足場を構成している主単管に容易に接続することができる。
【００１９】
従って、請求項１〜４に係る発明の吊り足場の施工方法では、機械や製造ライン等の障害物が設置されていたり、製品や資材等が積み上げられている工場建屋内に吊り足場を吊設する場合であっても、初期工程で設置した位置から高所作業車を移動させる必要がないので、積み上げられた製品や資材を別の位置に移動させたり、荷台を遠くまで移動させることができるレンタル料金の高い高所作業車を使用する必要がなく、短時間で効率良く、低コストで吊り足場を施工することができる。
【００２０】
また、高所作業車を設置することができない橋梁、高架橋等の直下に吊り足場を吊設する場合も、河岸等に通常の高所作業車を設置して所定領域の吊り足場を橋梁や高架橋等に吊設した後は、高所作業車を移動させる必要がないので、レンタル料金の高いブリッジチェッカーと呼ばれる特殊作業車を使用する必要がなく、短時間で効率良く、低コストで吊り足場を施工することができると共に、交通規制を行う必要もない。
【図面の簡単な説明】
【００２１】
【図１】（ａ）はこの発明に係る施工方法によって施工される吊り足場を示す側面図、（ｂ）は同上の吊り足場を示す一部切欠平面図である。
【図２】同上の吊り足場の施工方法における初期工程を説明するための説明図である。
【図３】（ａ）は同上の初期工程によって出来上がる初期足場を示す側面図、（ｂ）は同上の初期足場を示す平面図である。
【図４】同上の吊り足場の施工方法における拡張工程を説明するための説明図である。
【図５】（ａ）は同上の拡張工程の第１段階における吊り足場を示す側面図、（ｂ）は同上の吊り足場を示す平面図である。
【図６】同上の吊り足場を示す部分拡大側面図である。
【図７】（ａ）は同上の拡張工程の第２段階における吊り足場を示す側面図、（ｂ）は同上の吊り足場を示す平面図である。
【図８】（ａ）は同上の拡張工程の第３段階における吊り足場を示す側面図、（ｂ）は同上の吊り足場を示す平面図である。
【図９】（ａ）は同上の拡張工程の第４段階における吊り足場を示す側面図、（ｂ）は同上の吊り足場を示す平面図である。
【図１０】（ａ）は同上の拡張工程の第５段階における吊り足場を示す側面図、（ｂ）は同上の吊り足場を示す平面図である。
【図１１】従来の吊り足場の施工方法を説明するための説明図である。
【図１２】従来の吊り足場の施工方法を説明するための説明図である。
【発明を実施するための形態】
【００２２】
以下、本発明に係る吊り足場の施工方法の一例として、トラス構造を有する工場建屋の屋根の直下に吊設される吊り足場の施工方法について、図面を参照しながら説明する。図１（ａ）、（ｂ）に示すように、この吊り足場１は、主単管１１、副単管１２及び補助単管１３によって基本的に形成される足場枠１０と、この足場枠１０の副単管１２に掛け渡され、結束バンドで副単管１２に結束される木製または金属製の多数の足場板２０と、足場板２０の上に敷設される、合板からなる仕上板３０とから構成されている。
【００２３】
前記足場枠１０は、トラス構造の骨組みを構成している各パイプＰにチェーン１４及び吊下部材１５を介して吊設される複数本の主単管１１と、この主単管１１に直交するように、主単管１１の上側に配設して直交クランプ１６を用いて主単管１１に結束される複数本の副単管１２と、各主単管１１の吊設間隔が長い場合は、隣り合う主単管１１の中間位置で副単管１２の下側に配設して直交クランプ１６を用いて各副単管１２に結束する補助単管１３とから構成されており、前記吊下部材１５は、ターンバックルの一端側に単クランプが揺動自在に連結されていると共に、ターンバックルの他端側にチェーンを通すリング状のチェーンハンガーが連結されている。
【００２４】
以上のように構成される吊り足場１は、以下のようにして施工される。まず、図２及び図３（ａ）、（ｂ）に示すように、高所作業車ＰＤを用いて足場材料を吊り足場の施工位置あたりまで持ち上げ、高所作業車ＰＤの荷台に乗った作業者が、トラス構造の骨組みを構成している各パイプＰと同方向に延びる複数の主単管１１をチェーン１４及び吊下部材１５を用いてそれぞれ吊設した後、これらの主単管１１に直交する方向に延びる副単管１２を、主単管１１の上側に配設して直交クランプ１６を用いて各主単管１１に結束すると共に、各主単管１１の吊設間隔が長い場合は、隣り合う主単管１１の中間位置で補助単管１３を副単管１２の下側に配設して直交クランプ１６を用いて各副単管１２に結束することによって足場枠１０を形成した後、この足場枠１０の副単管１２に足場板２０を掛け渡して結束バンドで副単管１２に結束し、その上にコンクリート型枠用合板からなる仕上板３０を敷設することで、所定領域の吊り足場（以下、初期足場という。）１Ａを建屋の屋根の直下に吊設する。
【００２５】
続いて、上述した初期工程において、建屋の屋根の直下の所定領域に吊設された初期足場１Ａに順次接続しながら、新たな吊り足場（以下、拡張足場という。）を吊設していくことで、吊り足場の吊設領域を拡張していく。まず、図４、図５（ａ）、（ｂ）及び図６に示すように、作業者が、初期足場１Ａの上に乗って、パイプＰに取り付けた金具を介して、初期足場１Ａを構成している各副単管１２の直上に、各副単管１２と平行に固定用の仮設単管ＴＰ１を固定設置した後、スライド用の仮設単管ＴＰ２を挿通した支持管ＳＰを、仮設単管ＴＰ１に取り付けることで、仮設単管ＴＰ１の下側に仮設単管ＴＰ２を初期足場１Ａの外側に送り出し可能に吊設する。
【００２６】
次に、同図に示すように、初期足場１Ａを構成している各副単管１２に接続しようとする新たな副単管１２の先端部と仮設単管ＴＰ２の先端部とを、両ねじボルト、ターンバックル及び単クランプを組み合わせた長さ調整可能な連結部材ＣＭを介して連結すると共に、新たな副単管１２の先端から全長の２／５程度の位置と初期足場１Ａ上に固定された支持管ＳＰとを、チェーン、チェーンハンガー、ターンバックル及び単クランプを組み合わせた長さ調整可能な吊下部材ＨＭを介して連結した後、図７（ａ）、（ｂ）に示すように、仮設単管ＴＰ２と新たな副単管１２とを既設の初期足場１Ａの外側に送り出し、図８（ａ）、（ｂ）に示すように、その副単管１２を初期足場１Ａを構成している副単管１２に接続することによって、それぞれの副単管を延長する。なお、吊下部材ＨＭは、新たな副単管１２を既設の初期足場１Ａの外側に送り出した状態で弛まない長さに予め調整されている。
【００２７】
このようにして初期足場１Ａの外側に送り出された新たな副単管１２は、その先端部が、連結部材ＣＭを介して、送り出された仮設単管ＴＰ２の先端部から真下に吊り下げられると共に、その先端側が、吊下部材ＨＭを介して、初期足場１Ａ上に固定された支持管ＳＰから斜めに吊り下げられることになるので、前下がりの状態に傾くことがなく、初期足場１Ａ上の作業者は、送り出された副単管１２の後端部を初期足場１Ａを構成している副単管１２に容易に接続することができ、副単管１２の延長作業を円滑に行うことができる。
【００２８】
続いて、図９（ａ）、（ｂ）に示すように、隣り合う副単管１２の延長部分に複数の足場板２０を掛け渡しながら、新たな補助単管１３及び新たな主単管１１を副単管１２の下側に配設して直交クランプ１６を用いて各副単管１２に結束した後、図１０（ａ）、（ｂ）に示すように、新たな主単管１１をチェーン１４及び吊下部材１５を用いてパイプＰに吊設した後、副単管１２の延長部分から吊下部材ＨＭを取り外し、新たな副単管１２の前端部を除いて、所定位置まで足場板２０を掛け渡して、副単管１２の延長部分から連結部材ＣＭを取り外し、掛け渡した足場板２０の所定領域に仕上板３０を敷設すると、拡張足場１Ｂが出来上がる。
【００２９】
その後は、上述した拡張工程を繰り返すことによって、出来上がった拡張足場に次々と新たな拡張足場を接続しながら、吊り足場を拡張していけばよい。
【００３０】
以上のように、この吊り足場の施工方法では、副単管１２の延長作業を行った後は、隣り合う副単管１２の延長部分に足場板２０を掛け渡すことで、作業者は新たに掛け渡した足場板２０の上に乗って、次々と、足場板２０の設置作業や補助単管１３の結束作業を行うことができると共に、副単管１２の延長部分の下側に配置した新たな主単管１１をパイプＰに吊設して、それぞれの副単管１２の延長部分に結束することができるので、高所作業車を使用することなく、吊り足場を拡張することができる。
【００３１】
従って、この吊り足場の施工方法では、機械や製造ライン等の障害物が設置されていたり、製品や資材等が積み上げられている工場建屋内に吊り足場を吊設する場合であっても、初期工程で設置した位置から高所作業車ＰＤを移動させる必要がないので、積み上げられた製品や資材等を別の位置に移動させたり、荷台を遠くまで移動させることができるレンタル料金の高い高所作業車を使用する必要がなく、短時間で効率良く、低コストで吊り足場を施工することができる。
【００３２】
また、高所作業車を設置することができない橋梁、高架橋等の直下に吊り足場を吊設する場合も、河岸等に通常の高所作業車を設置して所定領域の吊り足場を橋梁や高架橋等に吊設した後は、高所作業車を移動させる必要がないので、レンタル料金の高いブリッジチェッカーと呼ばれる特殊作業車を使用する必要がなく、短時間で効率良く、低コストで吊り足場を施工することができると共に、交通規制を行う必要もない。
【００３３】
なお、上述した吊り足場の施工方法は、初期工程で出来上がった初期足場１Ａの副単管１２を延長しながら、吊り足場を拡張しているが、これに限定されるものではなく、例えば、初期工程で出来上がった初期足場１Ａの主単管１１を延長しながら、吊り足場を拡張することも可能である。
【００３４】
初期足場１Ａの主単管１１を延長しながら、吊り足場を拡張する場合は、副単管１２を延長する場合と同様に、初期足場１Ａを構成している主単管１１の直上に、その主単管１１と平行に、仮設単管ＴＰ２を初期足場１Ａの外側に送り出し可能に吊設した後、初期足場１Ａを構成しているそれぞれの主単管１１に接続しようとする新たな主単管１１の先端部と仮設単管ＴＰ２の先端部とを連結部材ＣＭを介して連結すると共に、新たな主単管１１の先端から全長の１／３程度の位置と初期足場１Ａ上に固定された支持管ＳＰとを吊下部材ＨＭを介して連結した状態で、仮設単管ＴＰ２と新たな主単管１１とを初期足場１Ａの外側に送り出し、新たな主単管１１を初期足場１Ａを構成している主単管１１に接続することによって、それぞれの主単管１１を延長した後、主単管１１の延長部分に副単管１２を結束しながら、この新たな副単管１２に足場板２０を掛け渡し、新たな主単管１１をチェーン１４及び吊下部材１５を用いてパイプＰに吊設することで、吊り足場を拡張すればよい。
【００３５】
この吊り足場の施工方法においても、初期足場１Ａの外側に送り出された新たな主単管１１は、その先端部が、連結部材ＣＭを介して、送り出された仮設単管ＴＰ２の先端部から真下に吊り下げられると共に、その先端側が、吊下部材ＨＭを介して、初期足場１Ａ上に固定された支持管ＳＰから斜めに吊り下げられることになるので、前下がりの状態に傾くことがなく、初期足場１Ａ上の作業者は、送り出された主単管１１の後端部を初期足場１Ａを構成している主単管１１に容易に接続することができ、主単管１１の延長作業を円滑に行うことができる。
【００３６】
しかも、主単管１１の延長作業を行った後は、隣り合う主単管１１の延長部分に新たな副単管１２を結束しながら、その副単管１２に足場板２０を掛け渡すことで、作業者は新たに掛け渡した足場板２０の上に乗って、新たな副単管１２の結束作業、新たな足場板２０の設置作業及び新たな主単管１１の吊設作業を行うことができるので、請求項１に係る発明の吊り足場の施工方法と同様に、高所作業車を使用することなく、吊り足場を拡張することができる。
【００３７】
従って、この吊り足場の施工方法においても、上述した吊り足場の施工方法と同様に、機械や製造ライン等の障害物が設置されていたり、製品や資材等が積み上げられている工場建屋内に吊り足場を吊設する場合であっても、積み上げられた製品や資材を別の位置に移動させたり、荷台を遠くまで移動させることができるレンタル料金の高い高所作業車を使用する必要がなく、短時間で効率良く、低コストで吊り足場を施工することができると共に、高所作業車を設置することができない橋梁、高架橋等の直下に吊り足場を吊設する場合も、レンタル料金の高いブリッジチェッカーと呼ばれる特殊作業車を使用する必要がなく、短時間で効率良く、低コストで吊り足場を施工することができると共に、交通規制を行う必要もない。
【００３８】
また、上述した吊り足場の施工方法では、副単管１２や主単管１１を延長する際、新たな副単管１２や主単管１１の先端から全長の２／５程度の位置と、初期足場１Ａ上に固定された支持管ＳＰとを吊下部材ＨＭを介して連結するようにしているが、副単管１２や主単管１１の連結位置は、長手方向の中央部よりも前端側であればよく、他方の連結位置も、初期足場１Ａ上の固定部であれば、支持管ＳＰに限定されるものではない。
【００３９】
また、上述した吊り足場の施工方法では、副単管１２や主単管１１を延長する際、副単管１２や主単管１１の先端部を、連結部材ＣＭを介して、仮設単管ＴＰ２の先端部から真下に吊り下げると共に、その先端側を、吊下部材ＨＭを介して、初期足場１Ａ上の固定部から斜めに吊り下げるようにしているが、全長の短い副単管１２や主単管１１の場合は、副単管１２や主単管１１の先端部と仮設単管ＴＰ２の先端部とを、連結部材ＣＭを介して連結するだけでよく、必ずしも、副単管１２や主単管１１の先端側と初期足場１Ａ上に固定された支持管ＳＰとを吊下部材ＨＭを介して連結する必要はない。
【００４０】
また、上述した吊り足場の施工方法では、足場板２０の上に仕上板３０を敷設しているが、これに限定されるものではなく、仕上板３０は必要に応じて敷設すればよい。
【００４１】
また、本発明の吊り足場の施工方法は、上述したような工場建屋の屋根の直下に吊り足場を施工する場合に限定されるものではなく、種々の構造体の直下に吊り足場を施工する場合に適用することができ、特に、高所作業車を設置することができない橋梁、高架橋等の直下に吊り足場を吊設する場合に有効である。
【産業上の利用可能性】
【００４２】
本発明は、工場等の建屋内の屋根の直下や、橋梁、高架橋等の直下に吊り足場を吊設する場合に利用することができる。
【符号の説明】
【００４３】
１  吊り足場
１Ａ  初期工程で吊設された吊り足場（初期足場）
１Ｂ  拡張工程で吊設された吊り足場（拡張足場）
１０  足場枠
１１  主単管
１２  副単管
１３  補助単管
１４  チェーン
１５  吊下部材
１６  直交クランプ
２０  足場板
３０  仕上板
ＣＭ  連結部材
ＨＭ  吊下部材
Ｐ  パイプ
ＰＤ  高所作業車
ＳＰ  支持管
ＴＰ１、ＴＰ２  仮設単管
【図１】
2013221324.tif 000003
【図２】
2013221324.tif 000004
【図３】
2013221324.tif 000005
【図４】
2013221324.tif 000006
【図５】
2013221324.tif 000007
【図６】
2013221324.tif 000008
【図７】
2013221324.tif 000009
【図８】
2013221324.tif 000010
【図９】
2013221324.tif 000011
【図１０】
2013221324.tif 000012
【図１１】
2013221324.tif 000013
【図１２】
2013221324.tif 000014